(57)【要約】      （修正有）【課題】眼鏡フレームと眼鏡テンプルとを簡単に分解・取り付けができる眼鏡フレームと眼鏡テンプルとの接続構造及び眼鏡を提供する。【解決手段】眼鏡フレームと、眼鏡テンプルと、眼鏡テンプルに形成された第一接続端と、眼鏡フレームに形成された第二接続端２１と、第一接続端及び第二接続端のいずれか一方に形成されたクランプピン及び他方に形成され上下に貫通してクランプピンが回転自在に挿入される中空のホール２３と、ホールの側面に形成されクランプピンの直径よりも狭小の幅を有し、クランプピンがホールに抜脱される開口２４とを有する。開口の位置に対応するホールの両側壁は弾性体である。【選択図】図２
0003198468.tif 000002
【実用新案登録請求の範囲】
【請求項１】
眼鏡フレーム（２）と、
眼鏡テンプル（１）と、
眼鏡テンプル（１）に形成された第一接続端（１１）と、
眼鏡フレーム（２）に形成された第二接続端（２１）と、
前記第一接続端及び前記第二接続端のいずれか一方に形成されたクランプピン（３）及び他方に形成され上下に貫通して前記クランプピンが回転自在に挿入される中空のホール（２３）と、
前記ホール（２３）の側面に形成され前記クランプピン（３）の直径よりも狭小の幅を有し、前記クランプピン（３）が前記ホール（３）に抜脱される開口（２４）と、
を有することを特徴とする眼鏡フレームと眼鏡テンプルとの接続構造。
【請求項２】
前記ホール（２３）の内壁には少なくとも一つの止め溝（２５）が軸方向に形成され、前記クランプピン（３）の周壁に前記止め溝（２５）と係合する少なくとも一つの止め条が軸方向に形成され、前記眼鏡テンプルを眼鏡フレームに対して展開したときに、前記止め条が前記止め溝に係合することで、前記テンプルの展開方向の回転を規制することを特徴とする請求項１に記載の眼鏡フレームと眼鏡テンプルとの接続構造。
【請求項３】
前記止め溝及び前記止め条の断面形状が台形に形成されていることを特徴とする請求項２に記載の眼鏡フレームと眼鏡テンプルとの接続構造。
【請求項４】
前記第一接続端（１１）及び前記第二接続端（２１）のいずれか一方が上壁と下壁とで形成された収容溝（１２）を有し、前記収容溝の上壁又は下壁には前記クランプピン（３）を挿通させる止まりホール（１３）が形成され、前記クランプピン（３）を前記止まりホール（１３）に挿通させることで収容溝の上壁と下壁との間に位置させ、前記第一接続端（１１）及び第二接続端（２１）のいずれか他方が前記ホール（２３）が形成された突出部（２２）を有し、前記突出部（２２）を前記収容溝（１２）に収容することを特徴とする請求項１〜３のいずれかに記載の眼鏡フレームと眼鏡テンプルとの接続構造。
【請求項５】
前記ホール（２３）の開口（２４）が前記突出部（２２）の一側に形成されることを特徴とする請求項４に記載の眼鏡フレームと眼鏡テンプルとの接続構造。
【請求項６】
前記止まりホール（１３）の内壁にはクランプ溝（１４）が軸方向を沿って形成され、前記クランプピン（３）の円柱体（３２）の周壁には前記クランプ溝（１４）に係合するクランプストリップ（３１）が軸方向を沿って形成され、前記円柱体（３２）を前記止まりホール（１３）に嵌挿し、前記クランプピンのクランプストリップ（３１）をクランプ溝（１４）に係合させることを特徴とする請求項４又は５に記載の眼鏡フレームと眼鏡テンプルとの接続構造。
【請求項７】
前記眼鏡フレームは縁フレーム構造あるいは半縁なしフレーム構造であることを特徴とする請求項１〜６のいずれかに記載の眼鏡フレームと眼鏡テンプルとの接続構造。
【請求項８】
眼鏡レンズと、請求項１〜７のいずれかに記載の眼鏡フレームと眼鏡テンプルとの接続構造とを有することを特徴とする眼鏡。
【考案の詳細な説明】
【技術分野】
【０００１】
本考案は、眼鏡フレームと眼鏡テンプルとの接続構造及びこの構造を利用した眼鏡に関する。
【背景技術】
【０００２】
眼鏡は人々の生活によく使うもので、今、従来の眼鏡では、その眼鏡フレームと、眼鏡テンプルとの間では、よくねじを使って接続するので、眼鏡フレームと、眼鏡テンプルとの組立分解することが専門家にしかできない、あるいは、眼鏡フレームと、眼鏡テンプルとの間の分解は不便利である。生活では、使用者がよく違った服装や場合によって、違った眼鏡を用意し、それに、使用者の服装や場合に合わせるために、眼鏡フレームと、眼鏡テンプルとの構造やデザインはポイントであるが、従来の眼鏡の眼鏡フレームと、眼鏡テンプルとが組立分解不可能で、あるいは組立分解が不便で、使用者は違った服装や場合によって、違った眼鏡を合わせて、常に数個の眼鏡を用意する必要があり、生活コストが高い。
従来技術の中には、特許文献１，２，３に示すように、ピンとの係合や磁石により簡単にテンプルを交換できるようにしたものが知られているが、いずれも通常の使用時に、テンプルに少し大きな力が作用するとテンプルが外れ易いという欠点がある。
【先行技術文献】
【特許文献】
【０００３】
【特許文献１】特開２００９−５０６３６６号公報
【特許文献２】特開２００８−１２９５６６号公報
【特許文献３】ＷＯ２００９／１１３１８７号公報
【考案の開示】
【考案が解決しようとする課題】
【０００４】
本考案は、従来技術の課題を解決し、眼鏡フレームと眼鏡テンプルとを自由に分解でき、使用者の要求に満足する眼鏡フレームと眼鏡テンプルとの接続構造及びこの構造を利用した眼鏡を提供する。
【課題を解決するための手段】
【０００５】
上記課題を解決するために請求項１に記載の考案は、眼鏡フレーム（２）と、眼鏡テンプル（１）と、眼鏡テンプル（１）に形成された第一接続端（１１）と、眼鏡フレーム（２）に形成された第二接続端（２１）と、前記第一接続端及び前記第二接続端のいずれか一方に形成されたクランプピン（３）及び他方に形成され上下に貫通して前記クランプピンが回転自在に挿入される中空のホール（２３）と、前記ホール（２３）の側面に形成され前記クランプピン（３）の直径よりも狭小の幅を有し、前記クランプピン（３）が前記ホール（３）に抜脱される開口（２４）とを有する構成としてある。
【０００６】
請求項２に記載するように、前記ホール（２３）の内壁には少なくとも一つの止め溝（２５）が軸方向に形成され、前記クランプピン（３）の周壁に前記止め溝（２５）と係合する少なくとも一つの止め条が軸方向に形成され、前記眼鏡テンプルを眼鏡フレームに対して展開したときに、前記止め条が前記止め溝に係合することで、前記テンプルの展開方向の回転を規制するように構成してもよい。
請求項３に記載するように、前記止め溝及び前記止め条の断面形状は台形としてもよい。
【０００７】
請求項４に記載するように、前記第一接続端（１１）及び前記第二接続端（２１）のいずれか一方が上壁と下壁とで形成された収容溝（１２）を有し、前記収容溝の上壁又は下壁には前記クランプピン（３）を挿通させる止まりホール（１３）が形成され、前記クランプピン（３）を前記止まりホール（１３）に挿通させることで収容溝の上壁と下壁との間に位置させ、前記第一接続端（１１）及び第二接続端（２１）のいずれか他方が前記ホール（２３）が形成された突出部（２２）を有し、前記突出部（２２）を前記収容溝（１２）に収容するようにしてもよい。
請求項５に記載するように、前記ホール（２３）の開口（２４）を前記突出部（２２）の一側に形成してもよい。
【０００８】
請求項６に記載するように、前記止まりホール（１３）の内壁にはクランプ溝（１４）が軸方向を沿って形成され、前記クランプピン（３）の円柱体（３２）の周壁には前記クランプ溝（１４）に係合するクランプストリップ（３１）が軸方向を沿って形成され、前記円柱体（３２）を前記止まりホール（１３）に嵌挿し、前記クランプピンのクランプストリップ（３１）をクランプ溝（１４）に係合させるようにしてもよい。
請求項７に記載するように、本考案は前記眼鏡フレームは縁フレーム構造あるいは半縁なしフレーム構造に適用が可能である。
本考案の眼鏡は、請求項８に記載するように、レンズと上記の接続構造とを有する。
【０００９】
本考案は、側面開口付きのホールをクランプピンと協力することによって、眼鏡テンプルの第一接続端と、眼鏡フレームの第二接続端との組立分解可能な接続を実現でき、使用者は自由に眼鏡テンプルを組立分解することができず。そして、使用者は希望に応じて、眼鏡テンプルを取り換え、一つのフレームを複数の眼鏡テンプルと組み合わせ、使用者は違った服装や状況に応じて違ったデザインの眼鏡を掛けることができる。
【考案を実施するための最良の形態】
【００１０】
以下は、本考案の好適な実施形態をさらに詳しく説明するが、本考案の眼鏡フレームと、眼鏡テンプルとの接続構造と眼鏡は実施形態に限定されるものではない。
【００１１】
図１ないし図６に示すように、本考案の眼鏡フレームと眼鏡テンプルとの接続構造には、眼鏡テンプル１と、眼鏡フレーム２とがあり、眼鏡テンプル１には第一接続端１１があり、眼鏡フレーム２は半縁なしフレームで（もちろん、前記眼鏡フレーム２縁フレームでもよい）、眼鏡フレーム２には第二接続端２１がある。第一接続端１１には一つのクランプピン３が設けられ、第二接続端２１には一つの上下中空のホール２３が形成され、前記ホール２３の側面には一つの開口２４が形成され、その上下両端を貫通し、それに、前記開口２４の位置に対応する前記ホール２３の両側壁は弾性体で、前記開口２４の広さはクランプピン３の直径より小さく、クランプピン３をホール２３の開口２４からホール２３に入れ、或いはホール２３から外すことによって、第一接続端１１を第二接続端２１と回転できるように接続させ、或いはそれから分離させることができる。
【００１２】
好ましい実施例には、前記ホール２３の裏壁には二つの止め溝２５が軸方向を沿って設置され、且つ二つの止め溝２５が前後方向に相対して設置され、前記クランプピン３の側壁には二つの止め条３１が軸方向を沿って設置され、前記二つの止め条３１が別々に弾性体で、いったん前記クランプピン３を前記ホール２３に入れ、かつ前記眼鏡テンプル１を眼鏡フレーム２に対して展開し続き、使用状態までなったとき、各止め条３１を別々に対応の止め溝２５にクランプし、前記テンプル１を展開方向へ回転し続くことを制限する。ここでは、好ましい実施例には、前記止め溝２５と、前記止め条３１との横断面は別々に台形で、そして、前記クランプピン３をホール２３に対して回転するとき、両方の摩擦力がより小さくなる。そのほかに、使用状態の角度まで展開した眼鏡テンプル１を回転し続くことを避けるため、眼鏡テンプル１の第一接続端１１の外側に、或いは眼鏡フレーム２の第二接続端２１の外側に止め片が設置され、眼鏡テンプル１が使用状態まで展開するとき、止め片を利用し、展開方向へ回転することを制限する。
【００１３】
好ましい実施例には、前記第一接続端１１には一つの上下密閉の収容溝１２があり、前記収容溝の側面には開口が設置される。前記クランプピン３を収容溝１２の上溝壁と、下溝壁との間に固定する。前記第二接続端２１には一つの突出部２２があり、前記ホール２３が前記突出部２２に設置され、そして、前記ホール２３の側面開口２４は前記突出部２２の裏側に設置される。前記突出部２２を前記第一接続端１１の収容溝１２に収容できる。具体的には、前記収容溝１２の下溝壁には止まりホール１３が設置され、前記止まりホール１３の裏壁にはクランプ溝１４が軸方向を沿って設置され、前記クランプピン３の底端部は円柱体３２で、その円柱体３２の裏側と対応する前記クランプピン３にはクランプストリップが軸方向を沿って設置され、前記円柱体３２を前記止まりホール１３に締まり嵌めし、前記クランプピン３のクランプストリップを対応クランプ溝１４とお互いにクランプ接続する。ここでは、前記止め条３１が下へ延伸し、クランプピン３のクランプストリップを形成し、ついでに、クランプ溝１４の横断面を台形にする。そして、眼鏡テンプル１を回転する途中で、クランプ溝１４から脱出することを避けるために、クランプ溝１４の内部空間は前記止め溝２５の内部空間よりやや小さい。
【００１４】
本考案の眼鏡フレームと眼鏡テンプルとの接続構造では、取り付ける時、まず眼鏡フレーム2の第二接続端２１の突出部２２の一部を眼鏡テンプル１の第一接続端１１の収容溝１２内に置いて、そして、そのホール２３の側面開口２４をクランプピン３に向けて、眼鏡フレーム2の突出部２２に少しの力を加えて、側面開口２４の位置と対応するホール２３の両側壁がやや形を変形することによって、クランプピン３をホール２３内にいれる。クランプピン３をホール２３内にいれてから、眼鏡テンプル１の第一接続端１１を眼鏡フレーム2の第二接続端２１と取り付けることが完成し、かつ眼鏡テンプル１を眼鏡フレーム2に対して回転できる。眼鏡テンプル１を展開するとき、クランプピン３をホール２３に対して回転し、回転する途中で、クランプピン３の止め条３１をホール２３の裏壁とお互いに摩擦することによって、やや形を変形させ、クランプピン３をホール２３に対して順調に回転できる。眼鏡テンプル１を使用状態まで展開するとき、クランプピン３の各止め条３１を別々に対応の止め溝２５にクランプし、眼鏡テンプル１を展開方向へ回転させ続けることができない。眼鏡テンプル１を折り畳めるとき、眼鏡テンプル１をその折り畳み方向へ少し力を加えて、クランプピン３の止め条３１が力を受けて変形させ、止め溝２５から脱出することによって、眼鏡を折り畳み方向へ回転することができる。
【００１５】
本考案の眼鏡フレームと眼鏡テンプルとの接続構造では、眼鏡テンプル１を分解するとき、いったんクランプピン３の各止め条３１を止め溝２５から脱出すると、やや力を加えて、眼鏡フレーム2の第二接続端２１を外へ引っ張って、側面開口２４の位置と対応するそのホール２３の両側壁がやや形を変形させ、クランプピン３をホール２３から脱出し、眼鏡テンプル１を眼鏡フレーム2と分解することが完成できる。
【００１６】
本考案の眼鏡フレームと眼鏡テンプルとの接続構造では、眼鏡フレームの第二接続端に前記クランプピンが設置され、眼鏡テンプルの第一接続端には前記ホールが設置され、眼鏡テンプルと、眼鏡フレームとの組立分解プロセスも簡単に実現できる。
【００１７】
図１ないし図６に示すように、本考案の眼鏡には、二つの眼鏡レンズ４と、前記眼鏡フレームと、眼鏡テンプルとの接続構造とがあり、二つの眼鏡レンズ４を別々に前記眼鏡フレーム２に取り付ける。
【００１８】
以上のように、本考案のデザイン及びアイディアはこれに限定されるものではなく，当業者が，本考案のアイディアと範囲に基づいて色々変形させることは可能であり，それらは本考案の請求項の保護範囲から排除するものではない。
【図面の簡単な説明】
【００１９】
【図１】本考案の分解図を示す。
【図２】図１のA部分の拡大図を示す。
【図３】本考案のクランプピンの説明図を示す。
【図４】本考案の眼鏡テンプルの説明図を示す。
【図５】図４のB部分の拡大図を示す。
【図６】本考案の説明図を示す。
【符号の説明】
【００２０】
１          眼鏡テンプル
１１        第一接続端
２          眼鏡フレーム
２１        第二接続端
２３        中空のホール
２４        開口
３          クランプピン
【図１】
0003198468.tif 000003
【図２】
0003198468.tif 000004
【図３】
0003198468.tif 000005
【図４】
0003198468.tif 000006
【図５】
0003198468.tif 000007
【図６】
0003198468.tif 000008